(57)【要約】【課題】２つの冷却コイルにおける動作を切り換えて空気の冷却除湿を行う乾燥冷風装置において、除霜時間を短縮して空気の冷却除湿を連続して行わせる。【解決手段】乾燥冷風装置（10）は、ケーシング（11）と、該ケーシング（11）内の空気流れの流通経路に設けられた２つの冷却コイル（21,22）と、該２つの冷却コイル（21,22）が交互に接続され、接続された冷却コイル（21,22）に通過空気を冷却除湿して乾燥冷風を生成するためのブラインを供給する冷却用流路（31）とを備えている。この乾燥冷風装置（10）に、２つの冷却コイル（21,22）のうち冷却用流路（31）との接続が遮断された非冷却側コイルに接続されてブラインを循環させる循環流路（32）を設け、非冷却側コイルが通過空気と循環流路（32）のブラインとによって除霜されるように構成する。【選択図】図１
2014070836.tif 000002
【特許請求の範囲】
【請求項１】
吸込口（12）と吹出口（13）とを有し、該吸込口（12）から吹出口（13）へ向かう空気流れが形成されるケーシング（11）と、
上記ケーシング（11）内の空気流れの流通経路に設けられ、内部に熱媒体が流通する２つの冷却コイル（21,22）と、
上記２つの冷却コイル（21,22）が交互に接続され、接続された冷却コイル（21,22）に通過空気を冷却除湿して乾燥冷風を生成するための熱媒体を供給する冷却用流路（31）とを備えた乾燥冷風装置であって、
上記２つの冷却コイル（21,22）のうち上記冷却用流路（31）との接続が遮断された非冷却側コイルに接続されて熱媒体を循環させる循環流路（32）を備え、
上記非冷却側コイルが通過空気と上記循環流路（32）の熱媒体とによって除霜されるように構成されている
ことを特徴とする乾燥冷風装置。
【請求項２】
請求項１において、
上記空気流れは、上記吸込口（12）から上記吹出口（13）へ向かって、上記２つの冷却コイル（21,22）のうち上記冷却用流路（31）に接続された冷却側コイルを通過する前に上記非冷却側コイルを通過するように形成されている
ことを特徴とする乾燥冷風装置。
【請求項３】
請求項１又は２において、
上記空気流れの上記２つの冷却コイル（21,22）の下流側に設けられた加熱コイル（23）と、
上記加熱コイル（23）に接続され、該加熱コイル（23）に通過空気を加熱するための熱媒体を供給する熱媒体流路（40）と、
圧縮機（51）と放熱器（52）と膨張機構（53）と吸熱器（54）とを有して冷凍サイクルを行う冷媒回路（50）とを備え、
上記冷媒回路（50）は、上記吸熱器（54）において上記冷却用流路（31）の熱媒体から吸収した熱を上記放熱器（52）において上記熱媒体流路（40）の熱媒体に放出するように、上記冷却用流路（31）と上記熱媒体流路（40）とに接続されている
ことを特徴とする乾燥冷風装置。
【請求項４】
請求項３において、
上記循環流路（32）の熱媒体と上記熱媒体流路（40）の熱媒体とを熱交換させる熱交換器（45）を備えている
ことを特徴とする乾燥冷風装置。
【請求項５】
請求項１乃至４のいずれか１つにおいて、
上記循環流路（32）に設けられ、上記非冷却側コイルから流出した熱媒体と系外から導入された水とを熱交換させて冷水を生成する水熱交換器（91）を備えている
ことを特徴とする乾燥冷風装置。
【発明の詳細な説明】
【技術分野】
【０００１】
本発明は、内部を流れる熱媒体によって空気を冷却除湿する冷却コイルを備えて乾燥冷風を生成する乾燥冷風装置に関し、冷却コイルの除霜対策に係るものである。
【背景技術】
【０００２】
従来より、食品等の乾燥や室内の除湿等のために、乾燥冷風を生成する乾燥冷風装置が用いられている（例えば、下記特許文献１を参照）。特許文献１では、低温の冷媒が流通する冷却コイルによって通過空気を露点温度以下に冷却して除湿し、その後、電気ヒータ等の加熱手段によって露点温度以下に低下した空気を加熱（再熱）することによって乾燥冷風を生成している。
【０００３】
ところで、上記乾燥冷風装置では、冷却コイルにおいて通過空気を露点温度以下に冷却して除湿するため、冷却コイルが着霜する。冷却コイルに付着した霜が成長すると、熱交換効率が低下して通過空気を所望の状態に冷却除湿できなくなるため、除霜が必要となるが、除霜するためには冷却コイルを加熱する必要があり、その間は冷却コイルが使用できなくなる。そこで、上記乾燥冷風装置では、２つの冷却コイルを空気の流れに対して並列に配置し、一方の冷却コイルでは、低温の冷媒を流入させて通過空気を冷却除湿する一方、他方の冷却コイルでは、冷媒の流入を停止して通過空気によって冷却コイルに付着した霜を融解する（除霜する）こととしている。そして、この２つの冷却コイルにおける動作を所定時間毎に切り換えることにより、冷却コイルの除霜を行いつつ冷却除湿の連続運転を可能にしている。
【先行技術文献】
【特許文献】
【０００４】
【特許文献１】特開２０１０−７９５４号公報
【発明の概要】
【発明が解決しようとする課題】
【０００５】
ところで、上記乾燥冷風装置では、上述のように、通過空気によって冷却コイルを除霜する、所謂オフサイクルデフロストを行っている。しかしながら、オフサイクルデフロストのみでは、除霜のための熱量が少なく、除霜を短時間で完了させることができなかった。そのため、一方の冷却コイルにおける除霜を十分に行うためには２つの冷却コイルの動作の切換間隔を長くしなければならない。しかし、切換間隔が長くなると、空気を冷却除湿する冷却コイルにおいて着霜によって熱交換効率が低下した状態が長く継続されるため、実質的には空気の冷却除湿を連続して行うことができなかった。
【０００６】
本発明は、かかる点に鑑みてなされたものであり、その目的は、２つの冷却コイルにおける動作を切り換えて空気の冷却除湿を行う乾燥冷風装置において、除霜時間を短縮して空気の冷却除湿を連続して行わせることにある。
【課題を解決するための手段】
【０００７】
第１の発明は、吸込口（12）と吹出口（13）とを有し、該吸込口（12）から吹出口（13）へ向かう空気流れが形成されるケーシング（11）と、上記ケーシング（11）内の空気流れの流通経路に設けられ、内部に熱媒体が流通する２つの冷却コイル（21,22）と、上記２つの冷却コイル（21,22）が交互に接続され、接続された冷却コイル（21,22）に通過空気を冷却除湿して乾燥冷風を生成するための熱媒体を供給する冷却用流路（31）とを備えた乾燥冷風装置であって、上記２つの冷却コイル（21,22）のうち上記冷却用流路（31）との接続が遮断された非冷却側コイルに接続されて熱媒体を循環させる循環流路（32）を備え、上記非冷却側コイルが通過空気と上記循環流路（32）の熱媒体とによって除霜されるように構成されている。
【０００８】
第１の発明では、ケーシング（11）内には吸込口（12）から吹出口（13）へ向かう空気流れが形成され、該空気流れは２つの冷却コイル（21,22）を通過する。このとき、ケーシング（11）内では、２つの冷却コイル（21,22）の一方が冷却用流路（31）に接続され、他方の非冷却側コイルが循環流路（32）に接続される。冷却用流路（31）に接続された冷却コイル（21,22）を通過する空気は、内部を流れる熱媒体によって露点温度以下の温度に冷却され、空気中の水分が凝縮される。つまり、冷却用流路（31）に接続された冷却コイル（21,22）の通過空気が冷却除湿される。これにより、乾燥冷風が生成される。このとき、凝縮した空気中の水分が冷却用流路（31）に接続された冷却コイル（21,22）に付着する（着霜する）。２つの冷却コイル（21,22）は、冷却用流路（31）に交互に接続されるため、冷却用流路（31）に接続されて着霜した冷却コイル（21,22）は、他方の冷却コイル（22,21）が冷却用流路（31）に接続される際に、冷却用流路（31）との接続が遮断されて非冷却側コイルとなり、循環流路（32）に接続される。そして、非冷却側コイルとなった冷却コイル（21,22）に付着した霜は、外部を通過する空気と内部を流れる循環流路（32）の熱媒体とから吸熱して融解する。つまり、非冷却側コイルとなった冷却コイル（21,22）が除霜される。除霜された冷却コイル（21,22）は、再び冷却用流路（31）に接続されて通過空気を冷却除湿する。
【０００９】
第２の発明は、第１の発明において、上記空気流れは、上記吸込口（12）から上記吹出口（13）へ向かって、上記２つの冷却コイル（21,22）のうち上記冷却用流路（31）に接続された冷却側コイルを通過する前に上記非冷却側コイルを通過するように形成されている。
【００１０】
第２の発明では、空気流れが、冷却用流路（31）に接続されて通過空気の冷却除湿を行う冷却側コイルを通過する前に、除霜が行われる非冷却側コイルを通過するように形成されている。このように空気流れを形成することにより、ケーシング（11）内に流入した空気は、冷却側コイルにおいて冷却除湿される前に、非冷却側コイルに付着した霜によって冷却される。即ち、空気は、非冷却側コイルを通過する際に予冷された後、冷却用流路（31）に接続された冷却側コイルで冷却除湿されることとなる。
【００１１】
第３の発明は、第１又は第２の発明において、上記空気流れの上記２つの冷却コイル（21,22）の下流側に設けられた加熱コイル（23）と、上記加熱コイル（23）に接続され、該加熱コイル（23）に通過空気を加熱するための熱媒体を供給する熱媒体流路（40）と、圧縮機（51）と放熱器（52）と膨張機構（53）と吸熱器（54）とを有して冷凍サイクルを行う冷媒回路（50）とを備え、上記冷媒回路（50）は、上記吸熱器（54）において上記冷却用流路（31）の熱媒体から吸収した熱を上記放熱器（52）において上記熱媒体流路（40）の熱媒体に放出するように、上記冷却用流路（31）と上記熱媒体流路（40）とに接続されている。
【００１２】
第３の発明では、ケーシング（11）内に流入した空気は、冷却側コイルにおいて冷却用流路（31）の熱媒体に吸熱されて冷却除湿された後、加熱コイル（23）に流入し、該加熱コイル（23）の内部を流れる熱媒体流路（40）の熱媒体によって加熱されて乾燥冷風となる。このとき、冷却用流路（31）の熱媒体に吸収された空気の熱は、吸熱器（54）において冷媒回路（50）の冷媒に吸収される。冷媒回路（50）の冷媒に吸収された熱は、冷媒と共に放熱器（52）に供給され、該放熱器（52）において熱媒体流路（40）の熱媒体に放出される。熱媒体流路（40）の熱媒体に吸収された熱は、熱媒体と共に加熱コイル（23）に供給され、該加熱コイル（23）において２つの冷却コイル（21,22）を通過して冷却除湿された空気に放出される。つまり、２つの冷却コイル（21,22）を通過して冷却除湿される際に冷却用流路（31）の熱媒体に吸収された空気の熱は、冷媒回路（50）及び熱媒体流路（40）を介して加熱コイル（23）に伝達され、該加熱コイル（23）において冷却除湿後の空気の加熱に利用されることとなる。
【００１３】
第４の発明は、第３の発明において、上記循環流路（32）の熱媒体と上記熱媒体流路（40）の熱媒体とを熱交換させる熱交換器（45）を備えている。
【００１４】
第４の発明では、循環流路（32）の熱媒体は、熱交換器（45）において、熱媒体流路（40）の熱媒体と熱交換して加熱される。つまり、２つの冷却コイル（21,22）のうち非冷却側コイルは、熱媒体流路（40）の熱媒体によって加熱された循環流路（32）の熱媒体によって除霜されることとなる。
【００１５】
第５の発明は、第１乃至第４のいずれか１つの発明において、上記循環流路（32）に設けられ、上記非冷却側コイルから流出した熱媒体と系外から導入された水とを熱交換させて冷水を生成する水熱交換器（91）を備えている。
【００１６】
第５の発明では、非冷却側コイルにおいて霜に放熱して冷却された熱媒体は、循環流路（32）を介して水熱交換器（91）に流入し、系外から導入された水と熱交換して系外からの水を冷却する。水熱交換器（91）において水から吸熱して昇温した熱媒体は、循環流路（32）を介して非冷却側コイルに流入し、該非冷却側コイルの霜に放熱して該非冷却側コイルを除霜する。つまり、非冷却側コイルの霜の冷熱を利用して冷水が生成される一方、冷水生成の際に熱媒体に放出された熱を利用して非冷却側コイルの除霜が行われる。
【発明の効果】
【００１７】
第１の発明によれば、２つの冷却コイル（21,22）を設け、一方を冷却用流路（31）に接続して通過空気を冷却除湿する一方、他方の非冷却側コイルを循環流路（32）に接続して該循環流路（32）の熱媒体と通過空気とによって非冷却側コイルの除霜を行うこととした。このように、非冷却側コイルにおいて、外部を通過する空気からだけでなく、内部を流れる循環流路（32）の熱媒体からも霜に熱を付与して除霜を行うことにより、除霜速度を増大させて除霜時間を短縮することができる。これにより、除霜を十分に行うために２つの冷却コイル（21,22）の動作の切換間隔を長くする必要がないため、冷却側コイルにおいて着霜によって熱交換効率が低下した状態が長く継続されることがない。従って、空気の冷却除湿を連続して行わせることができる。
【００１８】
また、第２の発明によれば、空気流れを、冷却用流路（31）に接続されて通過空気を冷却除湿する冷却側コイルを通過する前に、除霜が行われる非冷却側コイルを通過するように形成した。これにより、ケーシング（11）内に流入した空気を、冷却用流路（31）に接続された冷却側コイルにおいて冷却除湿する前に、非冷却側コイルに付着した霜によって予冷することができる。従って、冷却用流路（31）に接続された冷却側コイルにおける冷却負荷を低減させることができるため、省エネルギー化を図ることができる。
【００１９】
ところで、従来の乾燥冷風装置では、２つの冷却コイルを空気の流れに対して並列に配置し、両冷却コイルを通過した空気を混合して−２℃の空気を生成していた。そのため、非冷却側コイルを通過した比較的高い温度（例えば、５℃）の空気と混合して−２℃の空気となるように、冷却側コイルでは、空気を−２℃よりも低い温度（例えば、−１５℃）まで冷却しなければならなかった。
【００２０】
これに対し、第２の発明では、上述のように、空気が、非冷却側コイル、冷却側コイルの順に通過するように空気流れが形成されている。そのため、冷却側コイルにおいて空気を所望の温度よりも低い温度に冷却する必要がない。従って、従来の乾燥冷風装置に比べて、エネルギー効率を向上させることができる。
【００２１】
また、第３の発明によれば、冷凍サイクルを行う冷媒回路（50）を設け、吸熱器（54）において冷却用流路（31）の熱媒体から冷媒に吸収された熱が、放熱器（52）において熱媒体流路（40）の水に放出されるように、冷媒回路（50）を冷却用流路（31）と熱媒体流路（40）とに接続することとした。これにより、２つの冷却コイル（21,22）において冷却除湿される際に冷却用流路（31）の熱媒体に吸収された空気の熱を、加熱コイル（23）において、冷却除湿後の空気の加熱に利用することができる。従って、ヒータ等の加熱源を設けることなく冷却除湿後の空気を加熱することができるため、ヒータ等を設ける場合に比べて省エネルギー化を図ることができる。
【００２２】
また、第４の発明によれば、循環流路（32）の熱媒体を熱媒体流路（40）の熱媒体によって加熱可能に構成したため、非冷却側コイルの除霜の際に、熱媒体流路（40）の熱媒体によって加熱された循環流路（32）の熱媒体によって迅速に除霜を行うことができる。従って、除霜時間をより短縮することができるため、空気の冷却除湿をより確実に連続して行わせることができる。また、加熱された熱媒体で冷却コイルの除霜を行うことにより、２つの冷却コイル（21,22）の着霜が著しい場合であっても、確実に除霜を行うことができる。
【００２３】
また、第５の発明によれば、非冷却側コイルから流出した熱媒体と系外から導入された水とを熱交換させる水熱交換器（91）を循環流路（32）に設けることにより、非冷却側コイルに付着した霜と系外から導入された水との間において熱交換を行わせて冷水生成と非冷却側コイルの除霜とを行わせることができる。つまり、第５の発明によれば、乾燥冷風を生成するのみならず、冷水生成用の熱源を別途設けることなく、非冷却側コイルの霜の冷熱を利用して冷水を生成することができる。
【図面の簡単な説明】
【００２４】
【図１】図１は、実施形態１に係る乾燥冷風装置の第１動作を示す概略構成図である。
【図２】図２は、実施形態１に係る乾燥冷風装置の第２動作を示す概略構成図である。
【図３】図３は、実施形態２に係る乾燥冷風装置の第１動作を示す概略構成図である。
【図４】図４は、実施形態２に係る乾燥冷風装置の第２動作を示す概略構成図である。
【図５】図５は、実施形態３に係る乾燥冷風装置の第１動作を示す概略構成図である。
【図６】図６は、実施形態３に係る乾燥冷風装置の第２動作を示す概略構成図である。
【図７】図７は、実施形態４に係る乾燥冷風装置の第１動作を示す概略構成図である。
【図８】図８は、実施形態４に係る乾燥冷風装置の第２動作を示す概略構成図である。
【図９】図９は、実施形態５に係る乾燥冷風装置の一部の概略構成図である。
【図１０】図１０は、実施形態６に係る乾燥冷風装置の一部の概略構成図である。
【図１１】図１１は、実施形態７に係る乾燥冷風装置の第１動作を示す概略構成図である。
【図１２】図１２は、実施形態７に係る乾燥冷風装置の第２動作を示す概略構成図である。
【図１３】図１３は、実施形態８に係る乾燥冷風装置の第１動作を示す概略構成図である。
【図１４】図１４は、実施形態８に係る乾燥冷風装置の第２動作を示す概略構成図である。
【図１５】図１５は、その他の実施形態に係る冷却コイルの概略構成図である。
【発明を実施するための形態】
【００２５】
以下、本発明の実施形態を図面に基づいて詳細に説明する。なお、以下では、本発明に係る乾燥冷風装置の一例として、洗浄後の野菜等の乾燥に用いられる乾燥冷風装置について説明する。
【００２６】
《発明の実施形態１》
本実施形態１の乾燥冷風装置（10）は、空気を冷却除湿した後に加熱して所望の状態（温度、湿度）の乾燥冷風を生成するものである。
【００２７】
図１に示すように、乾燥冷風装置（10）は、ケーシング（11）と、ブライン回路（30）と、温水回路（40）と、冷媒回路（50）を有するチラー（55）と、コントローラ（60）とを備えている。ケーシング（11）には、ブライン回路（30）に接続された第１及び第２冷却コイル（21,22）と、温水回路（40）に接続された加熱コイル（23）と、送風ファン（24）とが収容されている。ブライン回路（30）、温水回路（40）、チラー（55）及びコントローラ（60）の詳細については後述する。
【００２８】
ケーシング（11）は、直方体形状の箱状に形成され、前後方向（図１では、左右方向）が幅方向（図１では、上下方向）よりも長く形成されている。ケーシング（11）は、前板に空気の吸込口（12）が形成される一方、後板に吹出口（13）が形成されている。
【００２９】
ケーシング（11）内は、幅方向に延びる仕切板（15）によって、前後方向に２つの空間、即ち、吸込口（12）側の冷却空間（S10）と吹出口（13）側の加熱空間（S20）とに仕切られている。また、仕切板（15）の中央には、冷却空間（S10）と加熱空間（S20）とを連通させる連通孔（15a）が形成されている。
【００３０】
冷却空間（S10）は、前後に配置されたＬ字形状の２つの区画板（16,17）によって３つの空気の通路、即ち、導入通路（1）と冷却通路（2）と導出通路（3）とに区画されている。具体的には、前側の区画板（16）は、ケーシング（11）の前板及び右側板（図１では下側の板）に沿ってＬ字状に延び、前板及び右側板との間に導入通路（1）を区画している。一方、後側の区画板（17）は、ケーシング（11）の左側板（図１では上側の板）及び仕切板（15）に沿ってＬ字状に延び、左側板及び仕切板（15）との間に導出通路（3）を区画している。また、前側の区画板（16）及び後側の区画板（17）は、互いの間に平面視において矩形状の冷却通路（2）を区画している。
【００３１】
冷却通路（2）には、上記第１及び第２冷却コイル（21,22）が前後方向に間隔を空けて並べて設置されている。第１及び第２冷却コイル（21,22）は、冷却通路（2）において、それぞれ幅方向に延びて前後方向に空気を通過させるように配置されている。本実施形態では、第１冷却コイル（21）が第２冷却コイル（22）よりも前側に配置されている。
【００３２】
前側の区画板（16）及び後側の区画板（17）には、それぞれに開閉式のダンパ（18a,18b,19a,19b）が２つずつ設けられている。前側の区画板（16）には、第１冷却コイル（21）よりも前側に第１導入ダンパ（18a）が設けられ、第２冷却コイル（22）よりも後側に第２導入ダンパ（18b）が設けられている。一方、後側の区画板（17）には、第１冷却コイル（21）よりも前側に第１導出ダンパ（19a）が設けられ、第２冷却コイル（22）よりも後側に第２導出ダンパ（19b）が設けられている。
【００３３】
詳細については後述するが、運転の際には、コントローラ（60）によって、第２導入ダンパ（18b）と第１導出ダンパ（19a）とが開く一方、第１導入ダンパ（18a）と第２導出ダンパ（19b）とが閉じる第１開閉状態（図１参照）と、第１導入ダンパ（18a）と第２導出ダンパ（19b）とが開く一方、第２導入ダンパ（18b）と第１導出ダンパ（19a）とが閉じる第２開閉状態（図２参照）とに切り換えられる。第１開閉状態では、導入通路（1）と冷却通路（2）の第２冷却コイル（22）の後側部分とが連通し、導出通路（3）と冷却通路（2）の第１冷却コイル（21）の前側部分とが連通する。一方、第２開閉状態では、導入通路（1）と冷却通路（2）の第１冷却コイル（21）の前側部分とが連通し、導出通路（3）と冷却通路（2）の第２冷却コイル（22）の後側部分とが連通する。
【００３４】
また、導出通路（3）には、仕切板（15）の連通孔（15a）付近に、冷却空間（S10）から加熱空間（S20）へ流れる空気の温度を検出する第１温度センサ（61）が設けられている。第１温度センサ（61）は、検出値をコントローラ（60）に入力するように構成されている。
【００３５】
加熱空間（S20）は、空間全体が単一の加熱通路（4）に構成されている。加熱通路（4）には、加熱コイル（23）と送風ファン（24）とが設けられている。加熱コイル（23）は、仕切板（15）の連通孔（15a）に対応するように設けられ、加熱通路（4）の幅方向に延びて前後方向に空気を通過させるように配置されている。一方、送風ファン（24）は、加熱コイル（23）と吹出口（13）との間に設けられ、加熱コイル（23）を通過した加熱通路（4）の空気を吸い込んで吹出口（13）からケーシング（11）の外部へ排出するように構成されている。
【００３６】
また、加熱通路（4）の加熱コイル（23）と送風ファン（24）との間には、加熱コイル（23）通過後の空気の温度を検出する第２温度センサ（62）が設けられている。第２温度センサ（62）は、検出値をコントローラ（60）に入力するように構成されている。
【００３７】
上述のように、上記ケーシング（11）内には、導入通路（1）、冷却通路（2）、導出通路（3）及び加熱通路（4）が形成されている。これらの通路（1〜4）は、ケーシング（11）内に流通経路が切換可能な空気流れを形成する空気通路を構成している。
【００３８】
〈ブライン回路〉
上記ブライン回路（30）は、熱媒体としてのブラインが流通する冷却用流路（31）及び除霜用流路（32）を有している。
【００３９】
具体的には、冷却用流路（31）及び除霜用流路（32）は、２つに分岐した流入端（第１及び第２流入端）及び流出端（第１及び第２流出端）をそれぞれ有している。冷却用流路（31）の合流部分には、ポンプ（33）と後述する冷媒回路（50）の吸熱器（54）とが接続され、除霜用流路（32）の合流部分には、ポンプ（34）が接続されている。
【００４０】
冷却用流路（31）及び除霜用流路（32）の第１流出端は、それぞれ第１流入側三方弁（35）を介して第１冷却コイル（21）の流入端に接続されている。具体的には、第１流入側三方弁（35）の第１ポートに冷却用流路（31）の第１流出端が接続され、第２ポートに除霜用流路（32）の第１流出端が接続され、第３ポートに第１冷却コイル（21）の流入端が接続されている。一方、冷却用流路（31）及び除霜用流路（32）の第２流出端は、それぞれ第２流入側三方弁（36）を介して第２冷却コイル（22）の流入端に接続されている。具体的には、第２流入側三方弁（36）の第１ポートに冷却用流路（31）の第２流出端が接続され、第２ポートに除霜用流路（32）の第２流出端が接続され、第３ポートに第２冷却コイル（22）の流入端が接続されている。
【００４１】
冷却用流路（31）及び除霜用流路（32）の第１流入端は、それぞれ第１流出側三方弁（37）を介して第１冷却コイル（21）の流出端に接続されている。具体的には、第１流出側三方弁（37）の第１ポートに冷却用流路（31）の第１流入端が接続され、第２ポートに除霜用流路（32）の第１流入端が接続され、第３ポートに第１冷却コイル（21）の流出端が接続されている。一方、冷却用流路（31）及び除霜用流路（32）の第２流入端は、それぞれ第２流出側三方弁（38）を介して第２冷却コイル（22）の流出端に接続されている。具体的には、第２流出側三方弁（38）の第１ポートに冷却用流路（31）の第２流入端が接続され、第２ポートに除霜用流路（32）の第２流入端が接続され、第３ポートに第２冷却コイル（22）の流出端が接続されている。
【００４２】
上記４つの三方弁（35,36,37,38）は、第１ポートと第３ポートとが連通し且つ第２ポートが閉鎖される第１状態と、第２ポートと第３ポートとが連通し且つ第１ポートが閉鎖される第２状態とに切り換わるように構成されている。後述する運転では、コントローラ（60）によって、第１流入側三方弁（35）及び第１流出側三方弁（37）が第１状態に切り換えられ且つ第２流入側三方弁（36）及び第２流出側三方弁（38）が第２状態に切り換えられる第１流通状態（図１参照）と、第１流入側三方弁（35）及び第１流出側三方弁（37）が第２状態に切り換えられ且つ第２流入側三方弁（36）及び第２流出側三方弁（38）が第１状態に切り換えられる第２流通状態（図２参照）とに切り換えられる。第１流通状態では、第１冷却コイル（21）が冷却用流路（31）に接続され且つ第２冷却コイル（22）が除霜用流路（32）に接続される。一方、第２流通状態では、第２冷却コイル（22）が冷却用流路（31）に接続され且つ第１冷却コイル（21）が除霜用流路（32）に接続される。
【００４３】
このような構成により、冷却用流路（31）は、４つの三方弁（35,36,37,38）の切り換えによって第１及び第２冷却コイル（21,22）が交互に接続され、接続された第１及び第２冷却コイル（21,22）に通過空気を冷却除湿するための熱媒体としてのブラインを供給する。一方、除霜用流路（32）は、４つの三方弁（35,36,37,38）の切り換えによって第１及び第２冷却コイル（21,22）のうち冷却用流路（31）に接続された冷却側コイルの他方の非冷却側コイルに接続されてブラインを循環させる。
【００４４】
また、本実施形態では、冷却用流路（31）のポンプ（33）の吸入側と除霜用流路（32）のポンプ（34）の吸入側との間に余剰のブラインを収容する膨張タンク（39）が接続されている。
【００４５】
〈温水回路〉
上記温水回路（40）には、冷却装置（41）と、ポンプ（42）と、後述する冷媒回路（50）の放熱器（52）とが接続されている。温水回路（40）では、ポンプ（42）により、熱媒体としての温水が冷却装置（41）と放熱器（52）との間を循環するように構成されている。冷却装置（41）は、本実施形態では、内部空間に設けられた充填材に温水回路（40）の温水を散布する一方、ファンによって外部から空気を取り込んで充填材を通過する空気流れを形成し、充填材において温水と空気とを接触させて温水の一部を蒸発させ、その蒸発潜熱によって残りの温水が冷却される開放式の冷却塔によって構成されている。なお、冷却装置（41）は、温水回路（40）の温水を管の内部に流通させて管の外部を通過する空気によって冷却する空冷式の熱交換器であってもよく、管の内部に温水回路（40）の温水を流通させる一方、管の外部に散水し、散布された水の蒸発潜熱によって管の内部の温水を冷却する密閉式の冷却塔であってもよい。本実施形態では、放熱器（52）において温水回路（40）の温水が冷媒回路（50）の高圧冷媒によって３７℃程度まで加熱される一方、冷却装置（41）において温水が３２℃程度まで冷却される。
【００４６】
また、温水回路（40）の冷却装置（41）と放熱器（52）との間であってポンプ（42）と逆側には、加熱コイル（23）が並列に接続されている。具体的には、加熱コイル（23）の流入端が放熱器（52）側に接続され、流出端が加熱側三方弁（43）を介して冷却装置（41）側に接続されている。加熱側三方弁（43）は、温水回路（40）の冷却装置（41）と放熱器（52）との間において、第１ポートが上流側に接続され、第３ポートが下流側に接続されている。そして、加熱コイル（23）の流出端は、加熱側三方弁（43）の第２ポートに接続されている。加熱側三方弁（43）は、第１ポート及び第２ポートから流入した温水が第３ポートから排出されるように構成されている。また、加熱側三方弁（43）は、例えば、ダイヤフラム三方弁によって構成され、後述するコントローラ（60）によって第１ポートから第３ポートへ向かう流路と第２ポートから第３ポートへ向かう流路との断面積の比率が調整されることにより、温水回路（40）から加熱コイル（23）に流入する温水の流量が調節されるように構成されている。
【００４７】
〈チラー〉
上記チラー（55）は、上述のように冷媒回路（50）を有し、冷却用流路（31）のブラインを冷却する一方、温水回路（40）の温水を加熱するように構成されている。具体的には、冷媒回路（50）は、圧縮機（51）と、放熱器（52）と、膨張弁（膨張機構）（53）と、吸熱器（54）とが、順に冷媒配管によって接続され、冷媒が循環するように構成されている。圧縮機（51）は、冷媒を高圧圧力状態となるまで圧縮するように構成されている。放熱器（52）は、圧縮機（51）から吐出された高圧冷媒と温水回路（40）の温水とを熱交換させるように構成されている。膨張弁（53）は、開度が調節可能に構成され、放熱器（52）から流出した高圧冷媒を減圧して所望の低圧圧力状態にするように構成されている。吸熱器（54）は、ブライン回路（30）の冷却用流路（31）のブラインと膨張弁（53）において減圧された低圧冷媒とを熱交換させるように構成されている。
【００４８】
冷媒回路（50）の吸熱器（54）の出口側には、ブラインの温度を検出する第３温度センサ（63）が設けられている。第３温度センサ（63）は、検出値をコントローラ（60）に入力するように構成されている。また、本実施形態では、コントローラ（60）により、第３温度センサ（63）の検出値、即ち、吸熱器（54）を通過した冷却用流路（31）のブラインの温度が−１０℃となるように圧縮機（51）の回転速度及び膨張弁（53）の開度が調節される。
【００４９】
〈コントローラ〉
上記コントローラ（60）は、各種構成機器の動作を制御して乾燥冷風を生成する運転を実行するように構成されている。また、コントローラ（60）は、乾燥冷風を生成する運転において、第１温度センサ（61）の検出値が所定温度（例えば、−６℃）以上になると、ブライン回路（30）を切り換えると共に空気通路における空気流れの流通経路を切り換えて、第１動作と第２動作とを交互に実行するように構成されている。具体的には、コントローラ（60）は、４つの三方弁（35,36,37,38）を第１流通状態となるように切り換えると共に、４つのダンパ（18a,18b,19a,19b）を第１開閉状態となるように切り換えて第１動作を実行するように構成されている。一方、コントローラ（60）は、４つの三方弁（35,36,37,38）を第２流通状態となるように切り換えると共に、４つのダンパ（18a,18b,19a,19b）を第２開閉状態となるように切り換えて第２動作を実行するように構成されている。また、コントローラ（60）は、第２温度センサ（62）の検出値が所望の温度（２℃）となるように、加熱側三方弁（43）を調整して温水回路（40）から加熱コイル（23）に流入する温水の流量を調節するように構成されている。さらに、コントローラ（60）は、第３温度センサ（63）の検出値が−１０℃となるように圧縮機（51）の回転速度及び膨張弁（53）の開度を調節するように構成されている。
【００５０】
−運転動作−
乾燥冷風装置（10）の運転動作について説明する。なお、以下では、運転動作の一例として、相対湿度６５％、温度５℃の空気を、冷却除湿した後に加熱して相対湿度４０％、温度２℃の乾燥冷風を生成する運転について説明する。
【００５１】
コントローラ（60）は、送風ファン（24）、ポンプ（33,34,42）、冷却装置（41）のファン及び圧縮機（51）を起動し、４つの三方弁（35,36,37,38）と４つのダンパ（18a,18b,19a,19b）とを切り換えて、第１動作（図１参照）と第２動作（図２参照）とを交互に実行する。具体的には、コントローラ（60）は、４つの三方弁（35,36,37,38）を第１流通状態となるように切り換えると共に４つのダンパ（18a,18b,19a,19b）を第１開閉状態となるように切り換えて第１動作を実行する一方、４つの三方弁（35,36,37,38）を第２流通状態となるように切り換えると共に４つのダンパ（18a,18b,19a,19b）を第２開閉状態となるように切り換えて第２動作を実行する。
【００５２】
送風ファン（24）の起動により、ケーシング（11）内には、吸込口（12）から相対湿度６５％、温度５℃の空気が取り込まれ、導入通路（1）、冷却通路（2）、導出通路（3）、加熱通路（4）の順に流通する。
【００５３】
具体的には、第１動作では、４つのダンパ（18a,18b,19a,19b）が第１開閉状態となるように切り換えられ、導入通路（1）と冷却通路（2）の第２冷却コイル（22）の後側部分とが連通すると共に、導出通路（3）と冷却通路（2）の第１冷却コイル（21）の前側部分とが連通する。これにより、吸込口（12）を介して導入通路（1）に流入した空気は、第２導入ダンパ（18b）を介して冷却通路（2）の第２冷却コイル（22）の後側部分に流入し、冷却通路（2）において後側から前側へ向かって流通する。つまり、冷却通路（2）に流入した空気は、第２冷却コイル（22）、第１冷却コイル（21）の順に通過し、第１導出ダンパ（19a）を介して導出通路（3）に流出する。導出通路（3）に流入した空気は、仕切板（15）の連通孔（15a）を介して加熱通路（4）に流入し、加熱コイル（23）を通過した後、吹出口（13）からケーシング（11）の外部へ吹き出される。
【００５４】
一方、第２動作では、４つのダンパ（18a,18b,19a,19b）が第２開閉状態となるように切り換えられ、導入通路（1）と冷却通路（2）の第１冷却コイル（21）の前側部分とが連通すると共に、導出通路（3）と冷却通路（2）の第２冷却コイル（22）の後側部分とが連通する。これにより、吸込口（12）を介して導入通路（1）に流入した空気は、第１導入ダンパ（18a）を介して冷却通路（2）の第１冷却コイル（21）の前側部分に流入し、冷却通路（2）において前側から後側へ向かって流通する。つまり、冷却通路（2）に流入した空気は、第１冷却コイル（21）、第２冷却コイル（22）の順に通過し、第２導出ダンパ（19b）を介して導出通路（3）に流出する。導出通路（3）に流入した空気は、仕切板（15）の連通孔（15a）を介して加熱通路（4）に流入し、加熱コイル（23）を通過した後、吹出口（13）からケーシング（11）の外部へ吹き出される。
【００５５】
また、ブライン回路（30）では、ポンプ（33,34）の起動により、冷却用流路（31）と除霜用流路（32）とにそれぞれブラインが流通し、第１及び第２冷却コイル（21,22）にブラインが供給される。
【００５６】
具体的には、第１動作では、４つの三方弁（35,36,37,38）が第１流通状態となるように切り換えられる。これにより、第１冷却コイル（21）が冷却用流路（31）に接続されて冷却側コイルとなり、第２冷却コイル（22）が非冷却側コイルとなって除霜用流路（32）に接続される。そして、第１冷却コイル（21）には、吸熱器（54）において−１０℃に冷却されたブラインが供給され、第２冷却コイル（22）には、除霜用流路（32）を流れる常温のブラインが供給される。
【００５７】
一方、第２動作では、４つの三方弁（35,36,37,38）が第２流通状態となるように切り換えられる。これにより、第２冷却コイル（22）が冷却用流路（31）に接続されて冷却側コイルとなり、第１冷却コイル（21）が非冷却側コイルとなって除霜用流路（32）に接続される。そして、第２冷却コイル（22）には、吸熱器（54）において−１０℃に冷却されたブラインが供給され、第１冷却コイル（21）には、除霜用流路（32）を流れる常温のブラインが供給される。
【００５８】
また、温水回路（40）では、ポンプ（42）及び冷却装置（41）のファンの起動により、冷却装置（41）と放熱器（52）との間において温水が循環し、放熱器（52）で加熱された温水（３７℃程度）の一部が加熱コイル（23）に供給される。また、コントローラ（60）によって、第２温度センサ（62）の検出値が所望の温度（２℃）となるように、加熱側三方弁（43）が調節され、温水回路（40）から加熱コイル（23）に流入する温水の流量が調節される。加熱コイル（23）を通過した温水は、冷却装置（41）で冷却された後、再び放熱器（52）において加熱される。
【００５９】
また、冷媒回路（50）では、圧縮機（51）の起動により、冷媒が循環して冷凍サイクルが行われる。また、コントローラ（60）によって第３温度センサ（63）の検出値が−１０℃となるように圧縮機（51）の回転速度及び膨張弁（53）の開度が調節される。これにより、吸熱器（54）を通過した冷却用流路（31）のブラインの温度が−１０℃になる。
【００６０】
以上により、第１動作（図１参照）では、第１冷却コイル（21）が冷却用流路（31）に接続されると共に第２冷却コイル（22）が除霜用流路（32）に接続されるようにブライン回路（30）が切り換えられる。また、ケーシング（11）内に流入した空気が、非冷却側コイルである第２冷却コイル（22）を通過した後に、冷却側コイルである第１冷却コイル（21）を通過するように、空気流れの流通経路が切り換えられる。
【００６１】
これにより、吸込口（12）を介してケーシング（11）内に取り込まれた空気（相対湿度６５％、温度５℃）は、導入通路（1）から冷却通路（2）に流入して非冷却側コイルである第２冷却コイル（22）、冷却側コイルである第１冷却コイル（21）の順に通過し、第１冷却コイル（21）の内部を流れる−１０℃のブラインに吸熱されて冷却される（−８℃程度）。このとき、第１冷却コイル（21）の表面は、通過する空気の露点温度よりも低いため、空気中の水分が凝縮して霜が付着する（着霜する）。これにより、空気が除湿される。つまり、冷却通路（2）に流入した空気は、第１冷却コイル（21）を通過する際に冷却用流路（31）のブラインによって冷却除湿される（例えば、相対湿度９１％、温度−８℃）。
【００６２】
冷却除湿後の空気は、冷却通路（2）から導出通路（3）に導出されて加熱通路（4）に流入し、加熱コイル（23）を通過する際に、該加熱コイル（23）の内部を流れる温水（３７℃程度）と熱交換して加熱される。このとき、コントローラ（60）は、第２温度センサ（62）の検出値が所望の温度（２℃）となるように、加熱側三方弁（43）を調整して加熱コイル（23）に流入する温水の流量を調節する。その結果、冷却除湿後の空気が、加熱コイル（23）において所望の温度（２℃）に加熱される。これにより、所望の状態（相対湿度４０％、温度２℃）の乾燥冷風が生成され、送風ファン（24）によって吹出口（13）からケーシング（11）の外部へ排出される。
【００６３】
ところで、第１動作中に、第１冷却コイル（21）に付着した霜が成長すると、熱交換効率が低下して空気が所望の温度まで冷却されないまま第１冷却コイル（21）を通過してしまう。コントローラ（60）は、第１温度センサ（61）の検出値が所定温度（例えば、−６℃）以上になると、ブライン回路（30）を切り換えると共に空気通路における空気流れの流通経路を切り換えて第２動作を実行する。
【００６４】
第２動作（図２参照）では、第２冷却コイル（22）が冷却用流路（31）に接続されると共に第１冷却コイル（21）が除霜用流路（32）に接続されるようにブライン回路（30）が切り換えられる。また、ケーシング（11）内に流入した空気が、非冷却側コイルである第１冷却コイル（21）を通過した後に、冷却側コイルである第２冷却コイル（22）を通過するように、空気流れの流通経路が切り換えられる。
【００６５】
これにより、吸込口（12）を介してケーシング（11）内に取り込まれた空気（相対湿度６５％、温度５℃）は、導入通路（1）から冷却通路（2）に流入し、まず、非冷却側コイルである第１冷却コイル（21）を通過する際に、該第１冷却コイル（21）に付着した霜によって冷却される（例えば、１℃程度）。このとき、第１冷却コイル（21）に付着した霜には、該第１冷却コイル（21）の外部を通過する空気と内部を流通する除霜用流路（32）の常温のブラインとから熱が付与される。これにより、霜が融解していく。つまり、第１冷却コイル（21）は、外部を通過する空気と内部を通過する除霜用流路（32）のブラインとによって除霜される。第１冷却コイル（21）で霜によって冷却された空気は、冷却側コイルである第２冷却コイル（22）を通過する際に、該第２冷却コイル（22）内を流れる−１０℃のブラインに吸熱されて冷却される（例えば、−８℃）。このとき、第２冷却コイル（22）の表面は、通過する空気の露点温度よりも低いため、空気中の水分が凝縮して霜が付着する（着霜する）。これにより、空気が除湿される。つまり、冷却通路（2）に流入した空気は、第１冷却コイル（21）を通過する際に霜によって予冷された後、第２冷却コイル（22）を通過する際に冷却用流路（31）のブラインによって冷却除湿される（例えば、相対湿度９１％、温度−８℃）。
【００６６】
冷却除湿後の空気は、冷却通路（2）から導出通路（3）に導出されて加熱通路（4）に流入し、第１動作と同様に、加熱コイル（23）を通過する際に、該加熱コイル（23）を流れる温水（３７℃程度）と熱交換して加熱される。これにより、所望の状態（相対湿度４０％、温度２℃）の乾燥冷風が生成され、送風ファン（24）によって吹出口（13）からケーシング（11）の外部へ排出される。
【００６７】
また、第２動作中に、第２冷却コイル（22）に付着した霜が成長すると、熱交換効率が低下して空気が所望の温度まで冷却されないまま第２冷却コイル（22）を通過してしまう。コントローラ（60）は、第１温度センサ（61）の検出値が所定温度（例えば、−６℃）以上になると、ブライン回路（30）を切り換えると共に空気通路における空気流れの流通経路を切り換えて再び第１動作を実行する。
【００６８】
２度目以降の第１動作では、第２冷却コイル（22）が着霜している点が１度目の第１動作と異なる。そのため、吸込口（12）を介してケーシング（11）内に取り込まれた空気（相対湿度６５％、温度５℃）は、導入通路（1）から冷却通路（2）に流入し、まず、非冷却側コイルである第２冷却コイル（22）を通過する際に、該第２冷却コイル（22）に付着した霜によって冷却される（例えば、１℃程度）。このとき、第２冷却コイル（22）に付着した霜には、該第２冷却コイル（22）の外部を通過する空気と内部を流通する除霜用流路（32）のブラインとから熱が付与される。これにより、霜が融解していく。つまり、第２冷却コイル（22）は、外部を通過する空気と内部を通過する除霜用流路（32）のブラインとによって除霜される。その他の動作は、１度目の第１動作と同様である。
【００６９】
−実施形態１の効果−
上記乾燥冷風装置（10）によれば、２つの冷却コイル（21,22）を設け、一方を冷却用流路（31）に接続して冷却側コイルとして通過空気を冷却除湿する一方、他方の非冷却側コイルを除霜用流路（32）に接続して該除霜用流路（32）のブラインと通過空気とによって非冷却側コイルの除霜を行うこととした。このように、非冷却側コイルにおいて、外部を通過する空気からだけでなく、内部を流れる除霜用流路（32）のブラインからも霜に熱を付与して除霜を行うことにより、除霜速度を増大させて除霜時間を短縮することができる。これにより、除霜を十分に行うために２つの冷却コイル（21,22）の動作の切換間隔を長くする必要がないため、冷却側コイルにおいて着霜によって熱交換効率が低下した状態が長く継続されることがない。従って、空気の冷却除湿を連続して行わせることができる。
【００７０】
また、上記乾燥冷風装置（10）によれば、空気流れを、冷却用流路（31）に接続されて通過空気を冷却除湿する冷却側コイルを通過する前に、除霜が行われる非冷却側コイルを通過するように形成した。これにより、ケーシング（11）内に流入した空気を、冷却用流路（31）に接続された冷却側コイルにおいて冷却除湿する前に、非冷却側コイルに付着した霜によって予冷することができる。従って、冷却側コイルにおける冷却負荷を低減させることができるため、省エネルギー化を図ることができる。
【００７１】
ところで、従来の乾燥冷風装置では、２つの冷却コイルを空気の流れに対して並列に配置し、両冷却コイルを通過した空気を混合して−２℃の空気を生成していた。そのため、非冷却側コイルを通過した比較的高い温度（例えば、５℃）の空気と混合して−２℃の空気となるように、冷却側コイルでは、空気を−２℃よりも低い温度（例えば、−１５℃）まで冷却しなければならなかった。
【００７２】
これに対し、上記乾燥冷風装置（10）では、上述のように、空気が、非冷却側コイル、冷却側コイルの順に通過するように空気流れが形成されている。そのため、冷却側コイルにおいて空気を所望の温度よりも低い温度に冷却する必要がない。従って、従来の乾燥冷風装置に比べて、エネルギー効率を向上させることができる。
【００７３】
また、上記乾燥冷風装置（10）では、冷凍サイクルを行う冷媒回路（50）を設け、該冷媒回路（50）の放熱器（52）に２つの冷却コイル（21,22）の空気流れの下流側に設けられた加熱コイル（23）に接続された温水回路（40）を接続する一方、吸熱器（54）に冷却用流路（31）を接続し、吸熱器（54）において冷却用流路（31）から冷媒に吸収させた熱を放熱器（52）において温水回路（40）の温水に放出させることとした。これにより、冷却コイル（21,22）において冷却用流路（31）のブラインに吸収させた通過空気の熱を、冷媒回路（50）及び温水回路（40）を介して加熱コイル（23）に伝達し、該加熱コイル（23）における冷却除湿後の空気の加熱に利用することができる。従って、ヒータ等の加熱源を設けることなく冷却除湿後の空気を加熱することができ、ヒータ等を設ける場合に比べて省エネルギー化を図ることができる。
【００７４】
《発明の実施形態２》
実施形態２の乾燥冷風装置（10）は、実施形態１の乾燥冷風装置（10）の回路構成を変更したものである。
【００７５】
図３及び図４に示すように、実施形態２の乾燥冷風装置（10）では、除霜用流路（32）のブラインを加熱する手段が設けられている。具体的には、除霜用流路（32）のブラインと温水回路（40）の温水とを熱交換させる熱交換器（45）が設けられている。該熱交換器（45）は、低温側流路と高温側流路とを有し、低温側流路を流れる流体と高温側流路を流れる流体とを熱交換させるように構成されている。熱交換器（45）の低温側流路は、除霜用流路（32）のポンプ（34）の上流側に接続されている。一方、熱交換器（45）の高温側流路は、加熱コイル（23）に並列に接続されたバイパス路（46）に接続されている。バイパス路（46）は、流入端が加熱コイル（23）の流入端を温水回路（40）に接続する流入路に接続される一方、流出端が温水回路（40）の加熱側三方弁（43）の下流側に接続されている。これにより、熱交換器（45）の低温側流路には除霜用流路（32）のブラインが流入する一方、高温側流路には、温水回路（40）において放熱器（52）から流出して加熱コイル（23）に向かう温水の一部が分岐して流入する。
【００７６】
このような構成により、実施形態２の乾燥冷風装置（10）では、第１動作（図３参照）においても第２動作（図４参照）においても、熱交換器（45）において低温側流路を流れる除霜用流路（32）のブラインと高温側流路を流れる温水回路（40）の温水とが熱交換する。これにより、除霜用流路（32）のブラインが、温水回路（40）の放熱器（52）から流出した温水から吸熱して加熱される。その結果、第１及び第２冷却コイル（21,22）のうち除霜用流路（32）に接続された非冷却側コイルには、熱交換器（45）において温水回路（40）の温水によって加熱されたブラインが供給される。つまり、実施形態２では、非冷却側コイルに付着した霜には、該非冷却側コイルの外部を通過する空気と、内部を流通する温水回路（40）の温水によって加熱された除霜用流路（32）のブラインとから熱が付与され、霜が融解する。
【００７７】
以上のように、実施形態２の乾燥冷風装置（10）によれば、除霜用流路（32）のブラインを温水回路（40）の温水によって加熱可能に構成したため、冷却コイル（21,22）の除霜の際に、温水回路（40）の温水によって加熱された除霜用流路（32）のブラインによって迅速に除霜を行うことができる。従って、除霜時間をより短縮することができるため、空気の冷却除湿をより確実に連続して行わせることができる。また、加熱されたブラインで冷却コイル（21,22）の除霜を行うことにより、第１及び第２冷却コイル（21,22）の着霜が著しい場合であっても、確実に除霜を行うことができる。
【００７８】
なお、本実施形態２では、バイパス路（46）には、放熱器（52）から流出した温水が常時流入するように構成され、除霜用流路（32）のブラインが、常時、温水回路（40）の温水によって加熱されていた。しかし、バイパス路（46）の熱交換器（45）の上流側に開閉弁等を設け、所定の条件下においてのみ開閉弁を開いて除霜用流路（32）のブラインを加熱することとしてもよい。例えば、第１動作と第２動作との切換の間隔が所定の時間よりも短くなった場合には、着霜が著しく除霜が完全に行えていない可能性が高いため、このような場合にのみ開閉弁を開いて除霜用流路（32）のブラインを加熱して除霜能力を向上させることとしてもよい。このような場合には、必要に応じて除霜能力を上げることができると共に、不必要に温水回路（40）の温水から除霜用流路（32）のブラインへ熱が付与されることを抑制することができる。
【００７９】
《発明の実施形態３》
実施形態３の乾燥冷風装置（10）は、実施形態１の乾燥冷風装置（10）のケーシング（11）の構成及びケーシング（11）内におけるコイル等の配置を変更したものである。なお、ブライン回路（30）、温水回路（40）、チラー（55）の構成については実施形態１と同様であるため、説明を省略し、以下では異なる部分のみについて説明する。
【００８０】
図５に示すように、実施形態３の乾燥冷風装置（10）では、ケーシング（11）は、直方体形状の箱状に形成され、前後方向（図５では、上下方向）の長さと幅方向（図５では、左右方向）の長さが略等しくなるように形成されている。ケーシング（11）は、左右側板の前端部のそれぞれに空気の吸込口（12）が形成される一方、後板の左側に吹出口（13）が形成されている。
【００８１】
ケーシング（11）内は、仕切板（15）によって、前後方向に２つの空間、即ち、吸込口（12）側の冷却空間（S10）と吹出口（13）側の加熱空間（S20）とに仕切られている。また、仕切板（15）の右側には、冷却空間（S10）と加熱空間（S20）とを連通させる連通孔（15a）が形成されている。
【００８２】
冷却空間（S10）には、幅方向に延びる区画板（71）によって前後に並ぶ２つの空間が形成されている。前後に並ぶ２つの空間の前側の空間は、左右に配置された２つの区画板（72,73）によって３つの空気の通路、即ち、第１冷却通路（5）と接続通路（6）と第２冷却通路（7）とに区画されている。具体的には、左側の区画板（72）は、ケーシング（11）の左側板に沿って前後方向に延び、左側板との間に第１冷却通路（5）を区画している。一方、右側の区画板（73）は、ケーシング（11）の右側板に沿って前後方向に延び、右側板との間に第２冷却通路（7）を区画している。また、左側の区画板（72）及び右側の区画板（73）は、互いの間に接続通路（6）を区画している。一方、区画板（71）によって前後に仕切られた後側の空間は、空間全体が単一の導出通路（8）に構成されている。
【００８３】
第１冷却通路（5）には、第１冷却コイル（21）が幅方向に延びて前後方向に空気を通過させるように配置されている。また、第１冷却通路（5）には、ケーシング（11）の左側板に形成された吸込口（12）が対応している。一方、第２冷却通路（7）には、第２冷却コイル（22）が幅方向に延びて前後方向に空気を通過させるように配置されている。第２冷却通路（7）には、ケーシング（11）の右側板に形成された吸込口（12）が対応している。
【００８４】
ケーシング（11）の左側板及び右側板に形成された吸込口（12）には、それぞれ開閉式のダンパ（74,75）が設けられている。具体的には、第１冷却通路（5）には第１導入ダンパ（74）が設けられ、第２冷却通路（7）には第２導入ダンパ（75）が設けられている。また、前後方向に延びる２枚の区画板（72,73）には、それぞれに開閉式のダンパ（76a,76b,77a,77b）が２つずつ設けられている。左側の区画板（72）には、第１冷却コイル（21）の前側に第１導入ダンパ（76a）が設けられ、後側に第１導出ダンパ（76b）が設けられている。一方、右側の区画板（73）には、第２冷却コイル（22）の前側に第２導入ダンパ（77a）が設けられ、後側に第２導出ダンパ（77b）が設けられている。さらに、幅方向に延びる区画板（71）には、第１冷却通路（5）に対応する位置に第１後方導出ダンパ（78）が設けられ、第２冷却通路（7）に対応する位置に第２後方導出ダンパ（79）が設けられている。
【００８５】
詳細については後述するが、運転の際には、コントローラ（60）によって、第２導入ダンパ（75）と第２導出ダンパ（77b）と第１導入ダンパ（76a）と第１後方導出ダンパ（78）とが開く一方、第１導入ダンパ（74）と第１導出ダンパ（76b）と第２導入ダンパ（77a）と第２後方導出ダンパ（79）とが閉じる第１開閉状態（図５参照）と、第１導入ダンパ（74）と第１導出ダンパ（76b）と第２導入ダンパ（77a）と第２後方導出ダンパ（79）とが開く一方、第２導入ダンパ（75）と第２導出ダンパ（77b）と第１導入ダンパ（76a）と第１後方導出ダンパ（78）とが閉じる第２開閉状態（図６参照）に切り換えられる。第１開閉状態では、ケーシング（11）の外部と第２冷却通路（7）の第２冷却コイル（22）の前側部分とが連通し、第２冷却通路（7）の第２冷却コイル（22）の後側部分と接続通路（6）とが連通し、接続通路（6）と第１冷却通路（5）の第１冷却コイル（21）の前側部分とが連通し、第１冷却通路（5）の第１冷却コイル（21）の後側部分と導出通路（8）とが連通する。一方、第２開閉状態では、ケーシング（11）の外部と第１冷却通路（5）の第１冷却コイル（21）の前側部分とが連通し、第１冷却通路（5）の第１冷却コイル（21）の後側部分と接続通路（6）とが連通し、接続通路（6）と第２冷却通路（7）の第２冷却コイル（22）の前側部分とが連通し、第２冷却通路（7）の第２冷却コイル（22）の後側部分と導出通路（8）とが連通する。
【００８６】
また、導出通路（8）には、仕切板（15）の連通孔（15a）付近に、冷却空間（S10）から加熱空間（S20）へ流れる空気の温度を検出する第１温度センサ（61）が設けられている。第１温度センサ（61）は、検出値をコントローラ（60）に入力するように構成されている。
【００８７】
加熱空間（S20）は、空間全体が単一の加熱通路（9）に構成されている。加熱通路（9）には、加熱コイル（23）と送風ファン（24）とが設けられている。加熱コイル（23）は、仕切板（15）の連通孔（15a）に対応するように設けられ、ケーシング（11）の幅方向に延びて前後方向に空気を通過させるように配置されている。一方、送風ファン（24）は、加熱コイル（23）と吹出口（13）との間に設けられ、加熱コイル（23）を通過した加熱通路（9）の空気を吸い込んで吹出口（13）からケーシング（11）の外部へ排出するように構成されている。
【００８８】
また、加熱通路（9）の加熱コイル（23）と送風ファン（24）との間には、加熱コイル（23）通過後の空気の温度を検出する第２温度センサ（62）が設けられている。第２温度センサ（62）は、検出値をコントローラ（60）に入力するように構成されている。
【００８９】
上述のように、上記ケーシング（11）内には、第１冷却通路（5）、接続通路（6）、第２冷却通路（7）、導出通路（8）及び加熱通路（9）が形成されている。これらの通路（5〜9）は、ケーシング（11）内に形成されて空気の流通経路が切換可能な空気流れを形成する空気通路を構成している。
【００９０】
〈コントローラ〉
実施形態３においても、コントローラ（60）は、乾燥冷風を生成する運転において、第１温度センサ（61）の検出値が所定温度（例えば、−６℃）以上になると、ブライン回路（30）を切り換えると共に空気通路における空気流れの流通経路を切り換えて、第１動作と第２動作とを交互に実行するように構成されている。具体的には、コントローラ（60）は、４つの三方弁（35,36,37,38）を第１流通状態となるように切り換えると共に、８つのダンパ（74,75,76a,76b,77a,77b,78,79）を第１開閉状態となるように切り換えて第１動作を実行するように構成されている。一方、コントローラ（60）は、４つの三方弁（35,36,37,38）を第２流通状態となるように切り換えると共に、８つのダンパ（74,75,76a,76b,77a,77b,78,79）を第２開閉状態となるように切り換えて第２動作を実行するように構成されている。また、コントローラ（60）は、第２温度センサ（62）の検出値が所望の温度（２℃）となるように、加熱側三方弁（43）を調整して温水回路（40）から加熱コイル（23）に流入する温水の流量を調節するように構成されている。さらに、コントローラ（60）は、第３温度センサ（63）の検出値が−１０℃となるように圧縮機（51）の回転速度及び膨張弁（53）の開度を調節するように構成されている。
【００９１】
−運転動作−
実施形態１と同様に、コントローラ（60）は、送風ファン（24）、ポンプ（33,34,42）、冷却装置（41）のファン及び圧縮機（51）を起動し、４つの三方弁（35,36,37,38）と８つのダンパ（74,75,76a,76b,77a,77b,78,79）とを切り換えて、第１動作（図５参照）と第２動作（図６参照）とを交互に実行する。具体的には、コントローラ（60）は、４つの三方弁（35,36,37,38）を第１流通状態となるように切り換えると共に８つのダンパ（74,75,76a,76b,77a,77b,78,79）を第１開閉状態となるように切り換えて第１動作を実行する一方、４つの三方弁（35,36,37,38）を第２流通状態となるように切り換えると共に８つのダンパ（74,75,76a,76b,77a,77b,78,79）を第２開閉状態となるように切り換えて第２動作を実行する。
【００９２】
送風ファン（24）の起動により、ケーシング（11）内には、吸込口（12）から相対湿度６５％、温度５℃の空気が取り込まれ、第２冷却通路（7）、接続通路（6）、第１冷却通路（5）、導出通路（8）、加熱通路（9）の順、又は、第１冷却通路（5）、接続通路（6）、第２冷却通路（7）、導出通路（8）、加熱通路（9）の順に流通する。
【００９３】
具体的には、第１動作では、８つのダンパ（74,75,76a,76b,77a,77b,78,79）が第１開閉状態となるように切り換えられ、ケーシング（11）の外部と第２冷却通路（7）の第２冷却コイル（22）の前側部分とが連通し、第２冷却通路（7）の第２冷却コイル（22）の後側部分と接続通路（6）とが連通し、接続通路（6）と第１冷却通路（5）の第１冷却コイル（21）の前側部分とが連通し、第１冷却通路（5）の第１冷却コイル（21）の後側部分と導出通路（8）とが連通する。これにより、ケーシング（11）内に流入した空気は、第２冷却通路（7）、接続通路（6）、第１冷却通路（5）、導出通路（8）、加熱通路（9）の順に流通する。具体的には、ケーシング（11）の外部の空気が、吸込口（12）に設けられた第２導入ダンパ（75）を介して第２冷却通路（7）の第２冷却コイル（22）の前側部分に流入する。第２冷却通路（7）に流入した空気は、前側から後側へ向かって流通して第２冷却コイル（22）を通過した後、第２導出ダンパ（77b）を介して接続通路（6）に流入する。接続通路（6）に流入した空気は、第１導入ダンパ（76a）を介して第１冷却通路（5）の第１冷却コイル（21）の前側部分に流入する。第１冷却通路（5）に流入した空気は、前側から後側に向かって第１冷却コイル（21）を通過した後、第１後方導出ダンパ（78）を介して導出通路（8）に流出する。導出通路（8）に流入した空気は、仕切板（15）の連通孔（15a）を介して加熱通路（9）に流入し、加熱コイル（23）を通過した後、吹出口（13）からケーシング（11）の外部へ吹き出される。
【００９４】
一方、第２動作では、８つのダンパ（74,75,76a,76b,77a,77b,78,79）が第２開閉状態となるように切り換えられ、ケーシング（11）の外部と第１冷却通路（5）の第１冷却コイル（21）の前側部分とが連通し、第１冷却通路（5）の第１冷却コイル（21）の後側部分と接続通路（6）とが連通し、接続通路（6）と第２冷却通路（7）の第２冷却コイル（22）の前側部分とが連通し、第２冷却通路（7）の第２冷却コイル（22）の後側部分と導出通路（8）とが連通する。これにより、ケーシング（11）内に流入した空気は、第１冷却通路（5）、接続通路（6）、第２冷却通路（7）、導出通路（8）、加熱通路（9）の順に流通する。具体的には、ケーシング（11）の外部の空気が、吸込口（12）に設けられた第１導入ダンパ（74）を介して第１冷却通路（5）の第１冷却コイル（21）の前側部分に流入する。第１冷却通路（5）に流入した空気は、前側から後側へ向かって第１冷却コイル（21）を通過した後、第１導出ダンパ（76b）を介して接続通路（6）に流入する。接続通路（6）に流入した空気は、第２導入ダンパ（77a）を介して第２冷却通路（7）の第２冷却コイル（22）の前側部分に流入する。第２冷却通路（7）に流入した空気は、前側から後側に向かって第２冷却コイル（22）を通過した後、第２後方導出ダンパ（79）を介して導出通路（8）に流出する。導出通路（8）に流入した空気は、仕切板（15）の連通孔（15a）を介して加熱通路（9）に流入し、加熱コイル（23）を通過した後、吹出口（13）からケーシング（11）の外部へ吹き出される。
【００９５】
なお、ブライン回路（30）、温水回路（40）及び冷媒回路（50）における動作は、実施形態１と同様である。
【００９６】
以上により、第１動作（図５参照）では、第１冷却コイル（21）が冷却用流路（31）に接続されると共に第２冷却コイル（22）が除霜用流路（32）に接続されるようにブライン回路（30）が切り換えられる。また、ケーシング（11）内に流入した空気が、非冷却側コイルである第２冷却コイル（22）を通過した後に、冷却側コイルである第１冷却コイル（21）を通過するように、空気流れの流通経路が切り換えられる。
【００９７】
これにより、吸込口（12）を介してケーシング（11）内の第２冷却通路（7）に取り込まれた空気（相対湿度６５％、温度５℃）は、非冷却側コイルである第２冷却コイル（22）を通過した後、接続通路（6）を介して第１冷却通路（5）に流入し、冷却側コイルである第１冷却コイル（21）を通過する際に、該第１冷却コイル（21）内を流れる−１０℃のブラインに吸熱されて冷却される（例えば、−８℃）。このとき、第１冷却コイル（21）の表面は、通過する空気の露点温度よりも低いため、空気中の水分が凝縮して霜が付着する（着霜する）。これにより、空気が除湿される。つまり、ケーシング（11）内に流入した空気は、第１冷却コイル（21）を通過する際に冷却用流路（31）のブラインによって冷却除湿される（例えば、相対湿度９１％、温度−８℃）。
【００９８】
冷却除湿後の空気は、第１冷却通路（5）から導出通路（8）に導出されて加熱通路（9）に流入し、加熱コイル（23）を通過する際に、該加熱コイル（23）を流れる温水（３７℃程度）と熱交換して加熱される。このとき、コントローラ（60）は、第２温度センサ（62）の検出値が所望の温度（２℃）となるように、加熱側三方弁（43）を調整して加熱コイル（23）に流入する温水の流量を調節する。その結果、冷却除湿後の空気が、加熱コイル（23）において所望の温度に加熱される。これにより、所望の状態（相対湿度４０％、温度２℃）の乾燥冷風が生成され、送風ファン（24）によって吹出口（13）からケーシング（11）の外部へ排出される。
【００９９】
ところで、第１動作中に、第１冷却コイル（21）に付着した霜が成長すると、熱交換効率が低下して空気が所望の温度まで冷却されないまま第１冷却コイル（21）を通過してしまう。コントローラ（60）は、第１温度センサ（61）の検出値が所定温度（例えば、−６℃）以上になると、ブライン回路（30）を切り換えると共に空気通路における空気流れの流通経路を切り換えて第２動作を実行する。
【０１００】
第２動作（図６参照）では、第２冷却コイル（22）が冷却用流路（31）に接続されると共に第１冷却コイル（21）が除霜用流路（32）に接続されるようにブライン回路（30）が切り換えられる。また、ケーシング（11）内に流入した空気が、非冷却側コイルである第１冷却コイル（21）を通過した後に、冷却側コイルである第２冷却コイル（22）を通過するように、空気流れの流通経路が切り換えられる。
【０１０１】
これにより、吸込口（12）を介してケーシング（11）内の第１冷却通路（5）に取り込まれた空気（相対湿度６５％、温度５℃）は、まず、非冷却側コイルである第１冷却コイル（21）を通過する際に、該第１冷却コイル（21）に付着した霜によって冷却される（例えば、１℃程度）。このとき、第１冷却コイル（21）に付着した霜には、該第１冷却コイル（21）の外部を通過する空気と内部を流通する除霜用流路（32）のブラインとから熱が付与される。これにより、霜が融解していく。つまり、第１冷却コイル（21）は、外部を通過する空気と内部を通過する除霜用流路（32）のブラインとによって除霜される。第１冷却コイル（21）で霜によって冷却された空気は、接続通路（6）を介して第２冷却通路（7）に流入し、冷却側コイルである第２冷却コイル（22）を通過する際に、該第２冷却コイル（22）内を流れる−１０℃のブラインに吸熱されて冷却される（例えば、−８℃）。このとき、第２冷却コイル（22）の表面は、通過する空気の露点温度よりも低いため、空気中の水分が凝縮して霜が付着する（着霜する）。これにより、空気が除湿される。つまり、ケーシング（11）内に流入した空気は、第１冷却コイル（21）を通過する際に霜によって予冷された後、第２冷却コイル（22）を通過する際に冷却用流路（31）のブラインによって冷却除湿される（例えば、相対湿度９１％、温度−８℃）。
【０１０２】
冷却除湿後の空気は、第２冷却通路（7）から導出通路（8）に導出されて加熱通路（9）に流入し、第１動作と同様に、加熱コイル（23）を通過する際に、該加熱コイル（23）を流れる温水（３７℃程度）と熱交換して加熱される。これにより、所望の状態（相対湿度４０％、温度２℃）の乾燥冷風が生成され、送風ファン（24）によって吹出口（13）からケーシング（11）の外部へ排出される。
【０１０３】
また、第２動作中に、第２冷却コイル（22）に付着した霜が成長すると、熱交換効率が低下して空気が所望の温度まで冷却されないまま第２冷却コイル（22）を通過してしまう。コントローラ（60）は、第１温度センサ（61）の検出値が所定温度（例えば、−６℃）以上になると、ブライン回路（30）を切り換えると共に空気通路における空気流れの流通経路を切り換えて再び第１動作を実行する。
【０１０４】
２度目以降の第１動作では、第２冷却コイル（22）が着霜している点が１度目の第１動作と異なる。そのため、吸込口（12）を介してケーシング（11）内の第２冷却通路（7）に流入した空気は、まず、非冷却側コイルである第２冷却コイル（22）を通過する際に、該第２冷却コイル（22）に付着した霜によって冷却される（例えば、１℃程度）。このとき、第２冷却コイル（22）に付着した霜には、該第２冷却コイル（22）の外部を通過する空気と内部を流通する除霜用流路（32）のブラインとから熱が付与される。これにより、霜が融解していく。つまり、第２冷却コイル（22）は、外部を通過する空気と内部を通過する除霜用流路（32）のブラインとによって除霜される。その他の動作は、１度目の第１動作と同様である。
【０１０５】
−実施形態３の効果−
実施形態３においても、実施形態１と同様の効果を奏することができる。また、実施形態３では、第１及び第２動作のいずれの場合にも、第１及び第２冷却コイル（21,22）の前側から後側に向かって空気が通過する一方、後側から前側に向かってブラインが流れるように構成されている。つまり、実施形態３では、第１及び第２動作のいずれの場合にも、第１及び第２冷却コイル（21,22）における通過空気とブラインとが対向して流れる（対向流となる）ように構成されている。これにより、第１及び第２冷却コイル（21,22）における通過空気とブラインとの熱交換効率を向上させることができるため、冷却効率及び除霜効率を向上させることができる。
【０１０６】
《発明の実施形態４》
実施形態４の乾燥冷風装置（10）は、実施形態３の乾燥冷風装置（10）の回路構成を変更したものである。
【０１０７】
図７及び図８に示すように、実施形態４の乾燥冷風装置（10）では、除霜用流路（32）のブラインを加熱する手段として、実施形態２と同様の熱交換器（45）が設けられている。該熱交換器（45）の低温側流路は除霜用流路（32）のポンプ（34）の上流側に接続され、高温側流路は、加熱コイル（23）に並列に接続されたバイパス路（46）に接続されている。バイパス路（46）は、流入端が加熱コイル（23）の流入端を温水回路（40）に接続する流入路に接続される一方、流出端が温水回路（40）の加熱側三方弁（43）の下流側に接続されている。
【０１０８】
このような構成により、実施形態４の乾燥冷風装置（10）では、第１動作（図７参照）においても第２動作（図８参照）においても、熱交換器（45）において低温側流路を流れる除霜用流路（32）のブラインと高温側流路を流れる温水回路（40）の温水とが熱交換する。これにより、除霜用流路（32）のブラインが、温水回路（40）の放熱器（52）から流出した温水から吸熱して加熱される。その結果、第１及び第２冷却コイル（21,22）のうち除霜用流路（32）に接続された非冷却側コイルには、熱交換器（45）において温水回路（40）の温水によって加熱されたブラインが供給される。つまり、実施形態４では、非冷却側コイルに付着した霜には、該非冷却側コイルの外部を通過する空気と、内部を流通する温水回路（40）の温水によって加熱された除霜用流路（32）のブラインとから熱が付与され、霜が融解する。
【０１０９】
以上のように、実施形態４の乾燥冷風装置（10）によれば、実施形態２と同様の効果を奏することができる。
【０１１０】
なお、本実施形態４においても、実施形態２と同様に、バイパス路（46）の熱交換器（45）の上流側に開閉弁等を設け、所定の条件下（例えば、第１動作と第２動作との切換の間隔が所定の時間よりも短くなった場合）においてのみ開閉弁を開いて除霜用流路（32）のブラインを加熱することとしてもよい。
【０１１１】
《発明の実施形態５》
図９に示すように、実施形態５の乾燥冷風装置（10）は、実施形態１の乾燥冷風装置（10）のケーシング（11）内の構成を一部変更すると共に、ブラインが循環する熱回収回路（25）を追加したものである。なお、ブライン回路（30）、温水回路（40）、チラー（55）及びコントローラ（60）の構成については実施形態１と同様であるため、図示及び説明を省略し、以下では異なる部分のみについて説明する。
【０１１２】
熱回収回路（25）は、予冷コイル（26）と予熱コイル（27）とポンプ（28）とが接続され、ポンプ（28）の搬送力によって予冷コイル（26）と予熱コイル（27）との間においてブラインが循環するように構成されている。予冷コイル（26）と予熱コイル（27）とは、ケーシング（11）内に設置されている。
【０１１３】
実施形態５では、冷却空間（S10）の２つの区画板（16,17）よりも手前側に、幅方向に延びる仕切板（14）が設けられている。これにより、実施形態５では、仕切板（14）とケーシング（11）の前板との間に、予冷通路（29）が形成されている。また、仕切板（14）の中央には、予冷通路（29）と導入通路（1）とを連通させる連通孔（14a）が形成されている。
【０１１４】
予冷通路（29）には、予冷コイル（26）が設置されている。予冷コイル（26）は、予冷通路（29）において幅方向に延びて前後方向に空気を通過させるように配置されている。また、予冷コイル（26）は、通過後の空気が導入通路（1）に流入するように、仕切板（14）の連通孔（14a）に対応するように設けられている。これにより、ケーシング（11）の吸込口（12）を介して予冷通路（29）に流入した空気は、予冷コイル（26）を通過した後、導入通路（1）へ流入して冷却通路（2）へ導入され、該冷却通路（2）において第１及び第２冷却コイル（21,22）を通過した後に、導出通路（3）へ流入して冷却通路（2）から加熱通路（4）へ導出される。
【０１１５】
また、実施形態５では、加熱空間（S20）全体によって構成される加熱通路（4）の加熱コイル（23）の手前側に予熱コイル（27）が設置されている。予熱コイル（27）は、仕切板（15）の連通孔（15a）に対応するように設けられ、加熱通路（4）の幅方向に延びて前後方向に空気を通過させるように配置されている。これにより、仕切板（15）の連通孔（15a）を介して加熱通路（4）に流入した空気は、予熱コイル（27）、加熱コイル（23）の順に通過した後、送風ファン（24）に吸い込まれてケーシング（11）の外部へ排出される。
【０１１６】
このような構成により、実施形態５では、第１動作（図９の白抜き細矢印参照）においても第２動作（図９の実線矢印参照）においても、吸込口（12）を介してケーシング（11）内に取り込まれた空気（例えば、相対湿度６５％、温度５℃）は、まず、予冷通路（29）に流入して予冷コイル（26）を通過する。予冷コイル（26）には、予熱コイル（27）において導出通路（3）から流出した冷却除湿後の空気（例えば、相対湿度９１％、温度−８℃）によって冷却されたブラインが流入する。これにより、予冷コイル（26）では、通過空気が内部を流れるブラインによって予め冷却される。予冷された空気は、実施形態１と同様に、導入通路（1）、冷却通路（2）、導出通路（3）の順に流れて、冷却用流路（31）のブラインによって冷却除湿される（例えば、相対湿度９１％、温度−８℃）。
【０１１７】
導出通路（3）から加熱通路（4）に流入した空気は、加熱コイル（23）を通過する前に予熱コイル（27）を通過する。予熱コイル（27）には、予冷コイル（26）において通過空気（相対湿度６５％、温度５℃）から吸熱して加熱されたブラインが流入する。これにより、予熱コイル（27）では、通過空気が内部を流れるブラインによって予め加熱される。予熱された空気は、実施形態１と同様に、加熱コイル（23）を通過し、該加熱コイル（23）において内部を流れる温水回路（40）の温水（３７℃程度）と熱交換して加熱される。その他の動作は、実施形態１と同様である。
【０１１８】
実施形態５の乾燥冷風装置（10）では、熱回収回路（25）を設け、予冷コイル（26）において空気を予冷すると共に、該予冷コイル（26）において通過空気から吸熱した熱を予熱コイル（27）において冷却除湿後の空気の予熱に用いることとしている。従って、冷却コイル（21,22）における冷却負荷及び加熱コイル（23）における加熱負荷を低減することができるため、省エネルギー化を促進することができる。
【０１１９】
《発明の実施形態６》
図１０に示すように、実施形態６の乾燥冷風装置（10）は、実施形態１の乾燥冷風装置（10）の構成を一部変更すると共に、顕熱交換器（80）を設け、顕熱交換器（80）において冷却除湿後の空気と冷却除湿前の空気とを熱交換させ、冷却コイル（21,22）にて冷却除湿する前の空気を予冷する一方、冷却除湿後の空気、即ち、加熱コイル（23）にて加熱（再熱）する前の空気を予熱することとしたものである。なお、ブライン回路（30）、温水回路（40）、チラー（55）及びコントローラ（60）の構成については実施形態１と同様であるため、図示及び説明を省略し、以下では異なる部分のみについて説明する。
【０１２０】
具体的には、実施形態６では、冷却空間（S10）と加熱空間（S20）とが、前後方向に並ぶ２つのケーシング（11,81）内に別個に形成されている。前側のケーシング（11）内に冷却空間（S10）が形成され、後側のケーシング（81）内に加熱空間（S20）が形成され、両ケーシング（11,81）の間に上記顕熱交換器（80）が設けられている。
【０１２１】
前側のケーシング（11）は、前板に吸込口（12）が形成される一方、後板に吹出口（13）が形成されている。前側のケーシング（11）内の冷却空間（S10）には、実施形態１と同様の２つの区画板（16,17）が設けられ、該区画板（16,17）によって３つの空気の通路、即ち、導入通路（1）と冷却通路（2）と導出通路（3）とが区画されている。冷却通路（2）には、実施形態１と同様に第１及び第２冷却コイル（21,22）が設けられている。前側のケーシング（11）の吹出口（13）は、顕熱交換器（80）の後述する第１流路の流入端に接続されている。
【０１２２】
また、導出通路（3）には、吹出口（13）付近に、冷却空間（S10）から顕熱交換器（80）へ流れる空気の温度を検出する第１温度センサ（61）が設けられている。第１温度センサ（61）は、検出値をコントローラ（60）に入力するように構成されている。
【０１２３】
後側のケーシング（81）は、前板に吸込口（82）が形成される一方、後板に吹出口（83）が形成されている。後側のケーシング（81）内の加熱空間（S20）は、実施形態１と同様に空間全体が単一の加熱通路（4）に構成され、該加熱通路（4）には、実施形態１と同様に加熱コイル（23）と送風ファン（24）とが設けられている。加熱コイル（23）は、吸込口（82）に対応するように設けられ、送風ファン（24）は、加熱コイル（23）と吹出口（83）との間に設けられている。後側のケーシング（81）の吸込口（82）は、顕熱交換器（80）の後述する第１流路の流出端に接続されている。
【０１２４】
また、加熱通路（4）の加熱コイル（23）と送風ファン（24）との間には、加熱コイル（23）通過後の空気の温度を検出する第２温度センサ（62）が設けられている。第２温度センサ（62）は、検出値をコントローラ（60）に入力するように構成されている。
【０１２５】
顕熱交換器（80）は、本実施形態では、四角柱状に形成され、内部に平板部材（図示省略）と波板部材（図示省略）とが上下方向（図１０では紙面に直交する方向）に交互に配置されている。波板部材は、前後方向に空気が流通する第１流路（図示省略）と、左右方向に空気が流通する第２流路（図示省略）とが、各平板部材間に交互に形成されるように配置されている。第１流路は、流入端が前側のケーシング（11）の吹出口（13）に接続される一方、流出端が後側のケーシング（81）の吸込口（82）に接続されている。一方、第２流路は、流入端が外部に開放され、流出端が前側のケーシング（11）の吸込口（12）に接続されている。これにより、第１流路には、冷却空間（S10）において冷却除湿されて加熱空間（S20）へ向かう冷却除湿後の空気が流れ、第２流路には、外部から取り込まれて冷却空間（S10）へ向かう冷却除湿前の空気が流れる。また、顕熱交換器（80）の平板部材は、両側をそれぞれ流れる第１流路の空気と第２流路の空気とを熱交換させる素材によって構成されている。
【０１２６】
このような構成により、顕熱交換器（80）では、冷却空間（S10）において冷却除湿されて加熱空間（S20）へ向かう冷却除湿後の空気と、外部から取り込まれて冷却空間（S10）へ向かう冷却除湿前の空気とが熱交換する。これにより、冷却除湿前の空気から冷却除湿後の空気へ熱が移動する。つまり、冷却除湿前の空気は予冷され、冷却除湿後の空気は予熱される。言い換えると、顕熱交換器（80）では、外部から取り込まれた冷却除湿前の空気から熱を回収し、回収した熱が冷却除湿後の空気に付与されて該空気の加熱に用いられる。
【０１２７】
以上のような構成により、実施形態６では、第１動作（図１０の白抜き細矢印参照）においても第２動作（図１０の実線矢印参照）においても、吸込口（12）を介して前側のケーシング（11）内に取り込まれた空気（例えば、相対湿度６５％、温度５℃）は、実施形態１と同様に、導入通路（1）、冷却通路（2）、導出通路（3）の順に流れて、冷却用流路（31）のブラインによって冷却除湿される（例えば、相対湿度９１％、温度−８℃）。
【０１２８】
冷却空間（S10）において冷却除湿された空気は、導出通路（3）から吹出口（13）を介して前側のケーシング（11）から流出し、顕熱交換器（80）の第１流路に流入する。顕熱交換器（80）では、第１流路の空気と第２流路の空気とが熱交換する。即ち、冷却空間（S10）において冷却除湿された空気と外部から取り込まれて冷却空間（S10）において冷却除湿される前の空気とが熱交換する。これにより、冷却除湿前の空気は、第２流路において第１流路を流れる冷却除湿後の空気によって冷却された後、吸込口（12）を介して前側のケーシング（11）内の冷却空間（S10）に流入する。一方、冷却除湿後の空気は、第１流路において第２流路を流れる外部から取り込まれた冷却除湿前の空気によって加熱された後、吸込口（82）を介して後側のケーシング（81）内の加熱空間（S20）に流入し、加熱通路（4）を流れる。
【０１２９】
加熱通路（4）に流入した空気は、実施形態１と同様に、加熱コイル（23）を通過し、該加熱コイル（23）において内部を流れる温水回路（40）の温水（３７℃程度）と熱交換して加熱される。その他の動作は、実施形態１と同様である。
【０１３０】
実施形態６の乾燥冷風装置（10）では、顕熱交換器（80）を設けて冷却除湿後の空気と冷却除湿前の空気とを熱交換させることにより、冷却除湿前の空気から熱を回収して該冷却除湿前の空気を予冷すると共に、回収した熱を冷却除湿後の空気の予熱に用いることとしている。従って、冷却コイル（21,22）における冷却負荷及び加熱コイル（23）における加熱負荷を低減することができるため、省エネルギー化を促進することができる。
【０１３１】
《発明の実施形態７》
図１１及び図１２に示すように、実施形態７の乾燥冷風装置（10）は、実施形態２の乾燥冷風装置（10）において、第１及び第２冷却コイル（21,22）に付着した霜の冷熱を利用して冷水を生成することとしたものである。乾燥冷風装置（10）において生成された冷水は、例えば、野菜等の洗浄に用いられる。つまり、実施形態７の乾燥冷風装置（10）では、１つの装置で、野菜等の洗浄用水と洗浄後の野菜等の乾燥用冷風とが生成されるように構成されている。
【０１３２】
具体的には、実施形態７では、系外から導入された水と除霜用流路（32）のブラインとを熱交換させる水熱交換器（91）と、該水熱交換器（91）に流入する除霜用流路（32）のブラインを冷却用流路（31）のブラインによって冷却する冷却機構（92）とが設けられている。
【０１３３】
水熱交換器（91）は、シェル・アンド・チューブ型の熱交換器に構成され、チューブが除霜用流路（32）のポンプ（34）の下流側に接続されている。水熱交換器（91）のシェルには、系外から水を供給する給水管（91a）と熱交換後の冷水を取出管（91b）とが接続されている。水熱交換器（91）のシェルには、給水管（91a）を介して系外の水、具体的には上水又は被冷却物に対して放熱した後の冷水が供給され、チューブ内を流れる除霜用流路（32）のブラインと熱交換して冷却される。
【０１３４】
冷却機構（92）は、冷却用流路（31）と除霜用流路（32）とに接続された第１及び第２接続管（93,94）と、三方弁（95）と、ブライン温度センサ（96）とを有している。
【０１３５】
第１接続管（93）は、一端が冷却用流路（31）の吸熱器（54）の下流側に接続され、他端が除霜用流路（32）のポンプ（34）の吸入側に設けられた三方弁（95）の第２ポートに接続されている。一方、第２接続管（94）は、一端が冷却用流路（31）のポンプ（33）の吸入側に接続され、他端が除霜用流路（32）の三方弁（95）の上流側、即ち、第１接続管（93）の上流側に接続されている。三方弁（95）は、除霜用流路（32）のポンプ（34）の吸入側において、第１ポートが上流側に接続され、第３ポートが下流側に接続されている。上述のように、第２ポートには第１接続管（93）が接続されている。
【０１３６】
三方弁（95）は、第１ポート及び第２ポートから流入したブラインが第３ポートから排出されるように構成されている。また、三方弁（95）は、例えば、ダイヤフラム三方弁によって構成され、コントローラ（60）によって第１ポートから第３ポートへ向かう流路と第２ポートから第３ポートへ向かう流路との断面積の比率が調整されることにより、冷却用流路（31）から除霜用流路（32）に流入するブラインの流量が調節されるように構成されている。
【０１３７】
ブライン温度センサ（96）は、除霜用流路（32）のポンプ（34）と水熱交換器（91）との間において、ブラインの温度を検出するように構成されている。ブライン温度センサ（96）は、検出値をコントローラ（60）に入力するように構成されている。
【０１３８】
また、本実施形態では、コントローラ（60）が、実施形態２の構成に加え、ブライン温度センサ（96）の検出値、即ち、水熱交換器（91）のチューブ内に流入するブラインの温度が０℃となるように三方弁（95）を調整するように構成されている。つまり、コントローラ（60）は、水熱交換器（91）において水を冷却するブラインの温度が０℃となるように、冷却用流路（31）から除霜用流路（32）へ流れるブラインの流量を調整するように構成されている。
【０１３９】
以上のような実施形態７における運転動作は、ほぼ実施形態２と同様であるが、ブライン回路（30）におけるブラインの流れが実施形態２と異なる。
【０１４０】
具体的には、図１１に示すように、第１動作では、コントローラ（60）によって、４つの三方弁（35,36,37,38）が第１流通状態となるように切り換えられると共に、ブライン温度センサ（96）の検出値が０℃となるように三方弁（95）が調整される。これにより、ブライン回路（30）では、第１冷却コイル（21）が冷却用流路（31）に接続されて冷却側コイルとなる一方、第２冷却コイル（22）が除霜用流路（32）に接続されて非冷却側コイルとなる。また、第１接続管（93）を介して冷却用流路（31）のブラインの一部が除霜用流路（32）に流入する一方、第２接続管（94）を介して除霜用流路（32）のブラインの一部が冷却用流路（31）に流入することにより、水熱交換器（91）のシェル内に０℃に温度制御されたブラインが流入する。
【０１４１】
このように、第１動作では、第１冷却コイル（21）に吸熱器（54）において−１０℃に冷却された冷却用流路（31）のブラインが供給される。一方、第２冷却コイル（22）には、冷却機構（92）によって０℃に冷却された後、水熱交換器（91）のチューブ内に供給されてシェル内の水から吸熱して該水を冷却した後の除霜用流路（32）のブラインが供給される。
【０１４２】
一方、図１２に示すように、第２動作では、コントローラ（60）によって、４つの三方弁（35,36,37,38）が第２流通状態となるように切り換えられると共に、ブライン温度センサ（96）の検出値が０℃となるように三方弁（95）が調整される。これにより、ブライン回路（30）では、第２冷却コイル（22）が冷却用流路（31）に接続されて冷却側コイルとなる一方、第１冷却コイル（21）が除霜用流路（32）に接続されて非冷却側コイルとなる。また、第１接続管（93）を介して冷却用流路（31）のブラインの一部が除霜用流路（32）に流入する一方、第２接続管（94）を介して除霜用流路（32）のブラインの一部が冷却用流路（31）に流入することにより、水熱交換器（91）のシェル内に０℃に温度制御されたブラインが流入する。
【０１４３】
このように、第２動作では、第２冷却コイル（22）に吸熱器（54）において−１０℃に冷却された冷却用流路（31）のブラインが供給される。一方、第１冷却コイル（21）には、冷却機構（92）によって０℃に冷却された後、水熱交換器（91）のチューブ内に供給されてシェル内の水から吸熱して該水を冷却した後の除霜用流路（32）のブラインが供給される。
【０１４４】
このような構成により、実施形態７の乾燥冷風装置（10）では、第１動作（図１１参照）においても第２動作（図１２参照）においても、除霜用流路（32）のブラインは、冷却機構（92）によって０℃に温度調節された後、水熱交換器（91）のチューブ内に供給される。水熱交換器（91）において、チューブを流れる０℃のブラインは、シェル内の水から吸熱する。これにより、水が冷却され（２℃）、冷水が生成される。水熱交換器（91）においてシェル内の水から吸熱して温度上昇したブラインは、第１及び第２冷却コイル（21,22）のうち除霜用流路（32）に接続された非冷却側コイルに流入し、該非冷却側コイルに付着した霜に放熱することで非冷却側コイルを除霜する。非冷却側コイルにおいて霜に放熱して温度が低下したブラインは、再び冷却機構（92）によって０℃に温度調節されて水熱交換器（91）に供給され、上述の動作が繰り返される。このように、実施形態７では、非冷却側コイルに付着した霜の冷熱が除霜用流路（32）のブラインに回収され、回収された冷熱は、ブラインと共に水熱交換器（91）に供給されて冷水の生成に用いられる。
【０１４５】
以上のように、実施形態７の乾燥冷風装置（10）によれば、非冷却側コイルから流出したブラインと系外から導入された水とを熱交換させる水熱交換器（91）を除霜用流路（32）に設けることにより、非冷却側コイルに付着した霜と系外から導入された水との間において熱交換を行わせて冷水生成と非冷却側コイルの除霜とを行わせることができる。つまり、実施形態７の乾燥冷風装置（10）によれば、乾燥冷風を生成するのみならず、冷水生成用の熱源を別途設けることなく、非冷却側コイルの霜の冷熱を利用して冷水を生成することができる。
【０１４６】
なお、本実施形態７では、冷却機構（92）を設け、冷却用流路（31）のブラインの一部を除霜用流路（32）に流入させることによって、水熱交換器（91）に流入するブラインの温度を０℃に調節していたが、冷却機構（92）は設けなくてもよい。その場合であっても、非冷却側コイルに付着した霜によって冷却されたブラインが水熱交換器（91）に供給されるように構成することによって霜の冷熱を利用して冷水を生成することができる。
【０１４７】
また、本実施形態７では、実施形態２の乾燥冷風装置（10）に水熱交換器（91）を追加していたが、実施形態１の乾燥冷風装置（10）に水熱交換器（91）のみ、又は水熱交換器（91）及び冷却機構（92）を追加して、第１及び第２冷却コイル（21,22）に付着した霜の冷熱を利用して冷水を生成することとしてももちろんよい。
【０１４８】
《発明の実施形態８》
図１３及び図１４に示すように、実施形態８の乾燥冷風装置（10）は、実施形態１の乾燥冷風装置（10）において、構成を一部変更し、第１及び第２冷却コイル（21,22）が空気の流れに対して並列に配置されるようにしたものである。
【０１４９】
具体的には、実施形態８では、後側の区画板（17）に、実施形態１の第１導出ダンパ（19a）及び第２導出ダンパ（19b）の代わりに、第３導出ダンパ（19c）が設けられている。第３導出ダンパ（19c）は、前後方向において第１冷却コイル（21）と第２冷却コイル（22）との間に設けられている。
【０１５０】
また、実施形態８では、３つのダンパ（18a,18b,19c）は、コントローラ（60）によって第１動作及び第２動作のいずれの動作中であっても開状態となるように構成されている。つまり、実施形態８では、４つの三方弁（35,36,37,38）のみを切り換えて第１動作及び第２動作を実行するように構成されている。具体的には、コントローラ（60）は、４つの三方弁（35,36,37,38）を第１流通状態となるように切り換えて第１動作を実行する一方、４つの三方弁（35,36,37,38）を第２流通状態となるように切り換えて第２動作を実行する。コントローラ（60）のその他の構成は実施形態１と同様である。
【０１５１】
以上のような実施形態８における運転動作は、ほぼ実施形態１と同様であるが、ケーシング（11）内における空気流れが実施形態１と異なる。
【０１５２】
実施形態８では、第１動作（図１３参照）においても第２動作（図１４参照）においても、吸込口（12）を介して導入通路（1）に流入した空気は、２つに分流され、一部が第１導入ダンパ（18a）を介して冷却通路（2）の第１冷却コイル（21）の前側部分に流入し、残りが第２導入ダンパ（18b）を介して冷却通路（2）の第２冷却コイル（22）の後側部分に流入する。冷却通路（2）の第１冷却コイル（21）の前側部分に流入した空気は、第１冷却コイル（21）を通過し、冷却通路（2）の第２冷却コイル（22）の後側部分に流入した空気は、第２冷却コイル（22）を通過する。両冷却コイル（21,22）を通過した空気は、両冷却コイル（21,22）の間において合流した後、第３導出ダンパ（19c）を介して導出通路（3）に流出する。導出通路（3）に流入した空気は、仕切板（15）の連通孔（15a）を介して加熱通路（4）に流入し、加熱コイル（23）を通過した後、吹出口（13）からケーシング（11）の外部へ吹き出される。
【０１５３】
なお、ブライン回路（30）、温水回路（40）及び冷媒回路（50）における動作は、実施形態１と同様である。
【０１５４】
以上により、第１動作（図１３参照）においても第２動作（図１４参照）においても、吸込口（12）を介して導入通路（1）に流入した空気は、２つに分流されて冷却通路（2）に流入し、該冷却通路（2）において、第１冷却コイル（21）及び第２冷却コイル（22）をそれぞれ別個に通過した後、両冷却コイル（21,22）の間において合流して導出通路（3）へ流出する。つまり、第１動作では、冷却側コイルとなる第１冷却コイル（21）を通過して冷却除湿された空気と、非冷却側コイルとなる第２冷却コイル（22）を通過して該第２冷却コイル（22）を除霜した空気とが合流して導出通路（3）へ流出する。一方、第２動作では、冷却側コイルとなる第２冷却コイル（22）を通過して冷却除湿された空気と、非冷却側コイルとなる第１冷却コイル（21）を通過して該第１冷却コイル（21）を除霜した空気とが合流して導出通路（3）へ流出する。その他の動作は、実施形態１と同様である。
【０１５５】
なお、非冷却側コイルを通過した空気は、比較的温度が高い（１℃程度）。そのため、両冷却コイル（21,22）を通過して合流された空気の温度が所望の温度（−８℃程度）となるように、冷却側コイルに流入する冷却用流路（31）のブラインの温度が、実施形態１よりも低くなるように（例えば、−１８℃）、圧縮機（51）の回転速度及び膨張弁（53）の開度が調節される。具体的には、コントローラ（60）により、第３温度センサ（63）の検出値、即ち、吸熱器（54）を通過した冷却用流路（31）のブラインの温度が、例えば、−１８℃となるように圧縮機（51）の回転速度及び膨張弁（53）の開度が調節される。
【０１５６】
実施形態８によっても、非冷却側コイルにおいて、外部を通過する空気と内部を流れる熱媒体とによって除霜を行うことにより、除霜能力の向上を図ることができる。
【０１５７】
《その他の実施形態》
上記各実施形態では、乾燥冷風装置を洗浄後の野菜等の乾燥に用いる場合について説明していたが、本発明に係る乾燥冷風装置の用途はこれに限られず、例えば、中低温域（１０℃以下）の室内の除湿を行う用途に用いることとしてもよい。
【０１５８】
また、上記実施形態３，４，７では、第１及び第２動作のいずれの場合にも、第１及び第２冷却コイル（21,22）における通過空気とブラインとが対向流となるように構成されていた。一方、実施形態１，２，５，６では、上述のように構成されていないが、ブライン回路（30）に切換弁を設け、第１及び第２動作の切換に伴って、第１及び第２冷却コイル（21,22）におけるブラインの流れを反転（前側から後側への流れを後側から前側への流れに変更、又は、その逆に変更）させることによって、第１及び第２動作のいずれの場合にも、第１及び第２冷却コイル（21,22）における通過空気とブラインとが対向流となるように構成することとしてもよい。そのように構成することにより、実施形態１，２，５，６においても、第１及び第２冷却コイル（21,22）における通過空気とブラインとの熱交換効率を向上させることができるため、冷却効率及び除霜効率を向上させることができる。
【０１５９】
また、上記各実施形態において、図１５に示すように、第１及び第２冷却コイル（21,22）のコイル長さを変更可能に構成することとしてもよい。具体的には、第１及び第２冷却コイル（21,22）は、冷却用流路（31）に接続されて冷却側コイルとなる際に、ブラインを流入させる流入管（20a）が１つであるのに対し、流出管が複数（図１５では３つ、即ち、第１から第３流出管（20b,20c,20d））設けられている。第１〜第３流出管（20b,20c,20d）は、冷却側コイルとなる際の各冷却コイル（21,22）における下流側の異なる位置に接続されている。また、第１〜第３流出管（20b,20c,20d）には、それぞれ第１〜第３開閉弁（20e,20f,20g）が設けられている。そして、各冷却コイル（21,22）が冷却側コイルとなる際に、上流側の第１開閉弁（20e）から下流側へ第２開閉弁（20f）、第３開閉弁（20g）の順に開状態とする開閉弁を変更し、用いる流出管を上流側の第１流出管（20b）から下流側へ第２流出管（20c）、第３流出管（20d）の順に変更していく。これにより、冷却コイル（21,22）の使用領域が徐々に拡大される。つまり、冷却用流路（31）に接続された冷却側コイルでは、通過空気を露点温度以下に冷却して除湿するために着霜することとなるが、上述のように冷却コイル（21,22）の使用領域を徐々に拡大することによって着霜していない部分を追加することができるため、着霜による熱交換効率の低下を抑制しつつ第１及び第２動作の切換間隔を長くすることができる。
【０１６０】
なお、以上の実施形態は、本質的に好ましい例示であって、本発明、その適用物、あるいはその用途の範囲を制限することを意図するものではない。
【産業上の利用可能性】
【０１６１】
以上説明したように、本発明は、内部を流れる熱媒体によって空気を冷却除湿する冷却コイルを備えて乾燥冷風を生成する乾燥冷風装置について有用である。
【符号の説明】
【０１６２】
１０      乾燥冷風装置
１１      ケーシング
１２      吸込口
１３      吹出口
２１      第１冷却コイル（冷却コイル）
２２      第２冷却コイル（冷却コイル）
２３      加熱コイル
２４      送風ファン
３１      冷却用流路
３２      除霜用流路（循環流路）
４０      温水回路（熱媒体流路）
４５      熱交換器
５０      冷媒回路
５１      圧縮機
５２      放熱器
５３      膨張弁（膨張機構）
５４      吸熱器
９１      水熱交換器
【図１】
2014070836.tif 000003
【図２】
2014070836.tif 000004
【図３】
2014070836.tif 000005
【図４】
2014070836.tif 000006
【図５】
2014070836.tif 000007
【図６】
2014070836.tif 000008
【図７】
2014070836.tif 000009
【図８】
2014070836.tif 000010
【図９】
2014070836.tif 000011
【図１０】
2014070836.tif 000012
【図１１】
2014070836.tif 000013
【図１２】
2014070836.tif 000014
【図１３】
2014070836.tif 000015
【図１４】
2014070836.tif 000016
【図１５】
2014070836.tif 000017